(57)【要約】【課題】  所望の色を発光させることができ、色再現性の良好な光源装置を提供する。【解決手段】  少なくとも２種類以上の発光色の発光素子Ｒ，Ｇ，Ｂから１つの発光素子群１を構成し、各発光素子群１において、発光素子群１を構成する発光素子Ｒ，Ｇ，Ｂ全体を覆って、上方に開口を有する反射材２が設けられていると共に、発光素子Ｒ，Ｇ，Ｂの上方に拡散材３が設けられている光源装置５を構成する。【選択図】        図３
2007073639.tif 000002
【特許請求の範囲】
【請求項１】
少なくとも２種類以上の発光色の発光素子から１つの発光素子群を構成し、前記発光素子群から成る光源装置であって、
各前記発光素子群において、前記発光素子群を構成する前記発光素子全体を覆って、上方に開口を有する反射材が設けられていると共に、前記発光素子の上方に拡散材が設けられている
ことを特徴とする光源装置。
【請求項２】
前記拡散材は、前記反射材の前記開口の部分に設けられていることを特徴とする請求項１に記載の光源装置。
【請求項３】
各前記発光素子群が、赤色の発光色の発光素子と、緑色の発光色の発光素子と、青色の発光色の発光素子とを少なくとも有して成ることを特徴とする請求項１に記載の光源装置。
【請求項４】
前記反射材は、底面側の開口よりも上方の前記開口の方が小さい面積となっていることを特徴とする請求項１に記載の光源装置。
【請求項５】
前記発光素子が発光ダイオードであることを特徴とする請求項１に記載の光源装置。
【請求項６】
画像を表示する表示部と、
前記表示部を背面側から照明する光源装置とを備えて成り、
前記光源装置は、少なくとも２種類以上の発光色の発光素子から１つの発光素子群を構成し、各前記発光素子群において、前記発光素子群を構成する前記発光素子全体を覆って、上方に開口を有する反射材が設けられていると共に、前記発光素子の上方に拡散材が設けられている
ことを特徴とする表示装置。
【発明の詳細な説明】
【技術分野】
【０００１】
本発明は、発光ダイオード等の発光素子を光源として備えた光源装置に係わり、特にＲ，Ｇ，Ｂ３色の発光ダイオードを均等に拡散発光させて、所望の色（白色やその他の色）の面光源を得る照明用光源装置に適応して好適なものである。また、本発明は、表示部を背面から照明する光源装置を備えた表示装置に係わる。
【背景技術】
【０００２】
従来、発光ダイオード（ＬＥＤ）を使用して、白色光とした白色ＬＥＤ光源としては、大別して下記の２種類の構成が提案されている。
第１の構成は、赤色発光ダイオードと、緑色発光ダイオードと、青色発光ダイオードとを組み合わせて、混色させて白色光を得る構成である。
第２の構成は、青色発光ダイオードに黄色の蛍光体を塗布して、蛍光体を励起させることにより、擬似白色を発光させる構成である。
【０００３】
近年、発光ダイオードの高出力化が進んだことにより、この白色ＬＥＤ光源の用途が広がっている。
特に、高輝度が要求される照明用や、プロジェクタ光源、並びに大型液晶ディスプレイ用のバックライトへの応用が考えられている。これらの用途において、水銀フリーによる環境負荷が小さいこと、色再現性が良好であること、応答性が良好であること、輝度の可変性を有すること、寿命が長いこと等の発光ダイオードの特長から、白色ＬＥＤ光源が、従来の蛍光管（熱陰極管及び冷陰極管）に代わる白色光源として期待されている。
【０００４】
上述した、照明用、プロジェクタ光源、並びに大型液晶ディスプレイ用のバックライトへ、白色ＬＥＤ光源を応用する際には、現状では、要求輝度を達成して面光源とするために、点光源である発光ダイオードを多数使用する必要がある。
【０００５】
発光ダイオードを使用したバックライトの構造としては、エッジライト方式及び直下方式の２つの方式が代表的なものである。
エッジライト方式は、拡散板の下面に設けられた導光板の端面へ、照明方向と直交する方向から発光ダイオードを発光させて、面光源とするものである。
直下方式は、拡散板の直下にマトリックス状に配置された発光ダイオードから、拡散板に鉛直な方向に発光させるものである。
【０００６】
ところで、上述した第１の構成の白色ＬＥＤ光源を、直下方式のバックライトに適用する場合には、制限されたバックライト厚の範囲内で、各発光ダイオードからの光を面内に均一に分散させるために、各発光ダイオード光源から出射した光を横方向へ拡散させる光学部材を各発光ダイオード上に配置する構成が採用されている。
この光学部材として、一般的には、レンズや略円錐型反射面を用いた構成が知られている（例えば、特許文献１や特許文献２を参照）。
【０００７】
【特許文献１】実開平７−３１５４号公報
【特許文献２】特開２００４−１４０３２７号公報
【発明の開示】
【発明が解決しようとする課題】
【０００８】
前述した第１の構成の白色ＬＥＤ光源では、各発光ダイオードからの光を面内に均一に分散させて混色させるために、適当な光路長が必要となる。そのため、各発光ダイオード光源から出射した光を横方向へ拡散させる光学部材を設けないで発光ダイオードのみで光源を構成すると、ある程度の厚さを確保する必要がある。このように厚くする必要があることから、バックライト装置及びバックライト装置を用いた表示装置において、薄型化や小型化を図ることが困難になる。
【０００９】
これに対して、特許文献１や特許文献２に示したように、拡散や反射等の光学部材を各発光ダイオード上に配置した構成では、光学部材を使用することによって光路長を確保することが可能になるため、バックライト装置や表示装置において、薄型化や小型化を図ることが可能になる。
しかしながら、光学部材を多用する必要があることから、部品点数や材料及び組み立てのコストが増大することになる。
【００１０】
前述した第２の構成の白色ＬＥＤ光源では、緑色の波長の光や赤色の波長の光を、蛍光体によって放射させることによって、擬似白色を形成しているため、色再現性が悪い。
また、蛍光体が劣化すると、色度が変化してしまう。
【００１１】
従って、バックライト装置や表示装置の薄型化や小型化を図ることができ、また所望の色（白色や他の色）を発光させることができ、色再現性の良好な構成のＬＥＤ光源が要望される。
【００１２】
上述した問題の解決のために、本発明においては、所望の色を発光させることができ、色再現性の良好な光源装置、及びこの光源装置を備えた表示装置を提供するものである。
【課題を解決するための手段】
【００１３】
本発明の光源装置は、少なくとも２種類以上の発光色の発光素子から１つの発光素子群を構成し、各発光素子群において、発光素子群を構成する発光素子全体を覆って、上方に開口を有する反射材が設けられていると共に、発光素子の上方に拡散材が設けられているものである。
また、本発明の表示装置は、画像を表示する表示部と、この表示部を背面側から照明する光源装置とを備え、この光源装置が上記本発明の光源装置の構成であるものである。
【００１４】
上述の本発明の光源装置の構成によれば、各発光素子群において、発光素子群を構成する発光素子全体を覆って、上方に開口を有する反射材が設けられていることにより、発光素子群を構成するそれぞれの発光素子から出射した光を反射材によって反射させることができる。開口に達した光は発光素子群から外に放射される。開口以外の反射材の部分に当たった光は反射され、反射を繰り返すうちに方向を変えて、開口から外に放射させることができる。このようにして、それぞれの発光素子から出射した光を集めることができ、集めた光を、反射材の開口を通じて発光素子群の外部に放射することができる。
また、各発光素子群において、発光素子の上方に拡散材が設けられていることにより、拡散材によって光の分布を均一に混合して、所望の色の光とすることができる。反射材によって反射された光は、様々な向きを持っていて、向きによって光量がばらついているため、そのままでは向きによって異なる色に見える。そこで、拡散材によって拡散させることにより、光の向きによる光量のばらつきを抑えて、均一な分布を有する所望の色の光とすることができる。
これにより、各発光素子群において、各発光色を容易に混色することができ、所望の色（例えば白色やその他の色）を発光させることが可能となる。
【００１５】
また、本発明の表示装置の構成によれば、表示部を背面側から照明する光源装置が上記本発明の光源装置の構成であることにより、光源装置から均一な分布を有する所望の色の光が照射されるため、表示部に表示される画像の色度や輝度の分布が良好な分布となる。
【発明の効果】
【００１６】
上述の本発明の光源装置によれば、２種類以上の発光色の発光素子からの出射光を混色して、均一な分布を有する所望の色の光を発光させることが可能となるため、色度や輝度の分布が良好で、色再現性が良好な光源を実現することができる。
例えば、混色により白色光が得られるように構成した場合には、良好な白色光源を実現することが可能になる。
【００１７】
そして、レンズ等の特別な光学部材を使用する必要がなく、また各発光素子毎に光学部材を設ける必要がないため、部品点数や部品コストを低減することが可能になる。
【００１８】
また、本発明の表示装置によれば、表示部に表示される画像の色度や輝度の分布が良好な分布となることにより、表示すべき画像を、良好な画質で表示することができる。
【００１９】
さらに、本発明によれば、短い距離・小さい空間で混色を行うことが可能になるため、光源装置や表示装置において、小型化や薄型化を図ることが可能になる。
【発明を実施するための最良の形態】
【００２０】
本発明の第１の実施の形態として、光源装置の要部の斜視図を図１に示す。
図１に示すように、３色の発光色の発光ダイオード、即ち赤色発光ダイオードＲと、緑色発光ダイオードＧと、青色発光ダイオードＢとを、それぞれ１個ずつ備えて、１組の発光ダイオードユニット１が構成されている。
【００２１】
本実施の形態では、特に、発光ダイオードユニット１において、この発光ダイオードユニット１を構成する３個の発光ダイオードＲ，Ｇ，Ｂ全体を覆って、上面に開口を有する反射材２が設けられている。
この反射材２は、４つの面から構成され、いずれの面も斜面となっている。そして、底面側の開口と、上面の開口とが、いずれも長方形状であり、かつ上面の開口が底面側の開口よりも小さい寸法・面積となっている。
【００２２】
反射材２の上面の開口に達した光は、発光ダイオードユニット１から外に放射される。その一方で、上面の開口以外の部分の反射材２に当たった光は、反射材２によって反射される。そして、反射を繰り返すうちに方向を変えて、反射材２の上面の開口から外に放射させることができる。
このようにして、それぞれの発光ダイオードＲ，Ｇ，Ｂから出射した光を集めることができ、集めた光を混合して、開口を通じて発光ダイオードユニット１の外部に放射することができる。
【００２３】
また、発光ダイオードＲ，Ｇ，Ｂの上方の、反射材２の上面の開口を塞ぐように、拡散材３が設けられている。
これにより、反射材２によって混合した光を、拡散材３によって光の分布を均一に混合して、所望の色の光とすることができる。
反射材２によって反射された光は、様々な向きを持っていて、向きによって光量がばらついているため、そのままでは向きによって異なる色に見える。そこで、拡散材３によって拡散させることにより、光の向きによる光量のばらつきを抑えて、均一な分布を有する所望の色の光、例えば均一な白色光とすることが可能になる。
【００２４】
このように、発光ダイオードユニット１は、反射材２及び拡散材３を設けたことによって、３個の発光ダイオードＲ，Ｇ，Ｂのそれぞれから出射した光を混合して、均一な分布を有する光とすることができる。
従って、発光ダイオードユニット１を、「光混合器」とも呼ぶことができる。
【００２５】
図１に示す発光ダイオードユニット（光混合器）１の断面図を、図２Ａ及び図２Ｂに示す。図２Ａは、発光ダイオードユニット（光混合器）１の長手方向に平行な面における断面図であり、図２Ｂは、幅方向の面における断面図である。
図２Ａ及び図２Ｂに示すように、基板４の上に、各発光ダイオードＲ，Ｇ，Ｂのチップが配置され、その上方を反射材２が覆っている。また、反射材２の上面の開口を埋めて、拡散材３が設けられている。
【００２６】
反射材２としては、好ましくは、４００ｎｍ〜８００ｎｍの波長範囲の光に対して、５０％以上の反射率を有する材料を用いる。さらに好ましくは、９３％以上の全反射率を有する材料を用いる。
このように高い反射率を有する材料としては、様々な材料が考えられるが、金属を用いると重量が大きくなるため、例えば、ＰＥＴ等の樹脂に気泡を入れたものや、反射塗装をした樹脂等を用いる。
【００２７】
拡散材３としては、各発光ダイオードＲ，Ｇ，Ｂから出射した光を透過する性質の、一般的な拡散材を用いることができる。例えば、液晶表示装置のバックライト光源に用いられている拡散板（図４の拡散板４１）と同様の拡散材料を使用することができる。
【００２８】
なお、図２Ａ及び図２Ｂでは、基板４上に各発光ダイオードＲ，Ｇ，Ｂのチップを直接配置した、いわゆるベアチップ実装となっているが、各発光ダイオードＲ，Ｇ，Ｂのパッケージを実装してもよい。
この場合、各発光ダイオードＲ，Ｇ，Ｂのパッケージの上を反射材で覆って、発光ダイオードユニット（光混合器）を構成すればよい。
【００２９】
また、図１及び図２に示す発光ダイオードユニット（光混合器）１において、各発光ダイオードＲ，Ｇ，Ｂと反射材２との間は、空洞とした構成、或いは、透明材（例えば、透明樹脂）を充填した構成の、いずれの構成としても構わない。
【００３０】
図１及び図２に示す発光ダイオードユニット（光混合器）１において、各発光色の発光ダイオードＲ，Ｇ，Ｂや反射材２や拡散材３の寸法は、例えば、各発光ダイオードＲ，Ｇ，Ｂを一辺９ｍｍの正方形、反射材２の底面側の開口を長さＬＡ＝３０ｍｍ・幅ＷＡ＝１０ｍｍとし、反射材２の上面の開口を長さＬＢ＝７ｍｍ・幅ＷＢ＝５ｍｍとし、高さＨを１２ｍｍとすることができる。また、拡散材３の厚さは、例えば２ｍｍとすることができる。
もちろん、発光ダイオードユニット（光混合器）１は、これらの寸法に限定されるものではない。
【００３１】
また、上述した寸法の発光ダイオードユニット（光混合器）１について、各発光ダイオードＲ，Ｇ，Ｂから出射した光の反射及び拡散のシミュレーションを行った。
その結果、３色の光が均一に混ざり合って、白色光が得られることが確かめられた。
【００３２】
発光ダイオードユニット（光混合器）１から出射する光は、白色光に限らず、所望の色の光を出射させることが可能である。
３色の発光ダイオードＲ，Ｇ，Ｂの発光強度の比を特定の比率とすることにより、白色光を出射させることができる。
また、３色の発光ダイオードＲ，Ｇ，Ｂのそれぞれの発光強度を変えることにより、発光ダイオードユニット（光混合器）１から出射する光の色度を変えて、様々な色とすることが可能である。
【００３３】
ここで、図１及び図２に示す発光ダイオードユニット１を、マトリックス配置した、光源装置の一形態を図３Ａ及び図３Ｂに示す。図３Ａは光源装置の斜視図を示し、図３Ｂは光源装置の平面図を示している。
この光源装置５は、図１及び図２に示した発光ダイオードユニット（光混合器）１が、縦横にマトリックス配置されて構成されている。
【００３４】
上述の本実施の形態の光源装置５の構成によれば、各発光ダイオードユニット１において、３色の発光ダイオードＲ，Ｇ，Ｂの上方を覆って、上面に開口を有する反射材２が設けられ、この反射材２の上面の開口を塞ぐように、拡散材３が設けられている。
これにより、各発光ダイオードＲ，Ｇ，Ｂから出射した光を、混合して、均一な分布を有する光として、上面の開口を通じて、発光ダイオードユニット１の外部へ出射させることができる。
また、図１に示す発光ダイオードユニット１を、図３に示すようにマトリックス配置して構成した光源装置５において、各ユニット１の色度を均一とすることができる。
これにより、色再現性の良好な光源装置５を実現することができると共に、光源装置５の厚さを薄くしても良好な色度分布を得ることができ、光源装置５を薄型化・小型化することが可能になる。
【００３５】
そして、本実施の形態の光学装置５では、レンズ等の特別な光学部材を使用する必要がなく、各発光ダイオードＲ，Ｇ，Ｂ毎に光学部材を設ける必要もない。これにより、特殊で高価な発光ダイオードＲ，Ｇ，Ｂを用いる必要がなくなる。
また、レンズ等の光学部材を発光ダイオードＲ，Ｇ，Ｂ毎に設ける場合には、光学部材を支持するために発光ダイオードＲ，Ｇ，Ｂをパッケージ化する必要が生じるのに対して、光学部材が不要となることにより、各発光ダイオードＲ，Ｇ，Ｂをベアチップで実装することが可能になる。
従って、部品点数や部品コストを低減することが可能になる。
【００３６】
さらに、本実施の形態の光源装置５では、各発光ダイオードユニット１において、反射材２の上面の開口が、底面側の開口よりも小さい面積で形成されているため、反射材２が斜面となっていて、各発光ダイオードＲ，Ｇ，Ｂから出射した光を繰り返し反射させて、小さい面積の開口に集めることができる。
これにより、３色の発光ダイオードＲ，Ｇ，Ｂからの光を集束させて、均一な分布の光に混合させやすくなっている。
【００３７】
図３に示した光源装置５は、照明用、プロジェクタ光源、カラー液晶表示装置のバックライト装置、等の用途に用いることが可能である。
そして、図３に示した構成の光源装置５は、色再現性が良好な光源となるため、このような用途に用いて好適である。
【００３８】
図３に示した構成の光源装置５をバックライト装置に適用して、図４に概略構成図（分解斜視図）を示すようなカラー液晶表示装置を構成することができる。
図４に示すカラー液晶表示装置１００は、透過型のカラー液晶表示パネル１０と、このカラー液晶表示パネル１０の背面側に設けられたバックライトユニット４０とから成る。
【００３９】
透過型のカラー液晶表示パネル１０は、ガラス等で構成された２枚の透明な基板（ＴＦＴ基板１１、対向電極基板１２）を互いに対向配置させ、その間隙に、例えば、ツイステッドネマチック（ＴＮ）液晶を封入した液晶層１３を設けた構成となっている。ＴＦＴ基板１１には、マトリクス状に配置されたスイッチング素子としての薄膜トランジスタ（ＴＦＴ）１６と、画素電極１７とが形成されている。
薄膜トランジスタ１６は、走査線１５により、順次選択されると共に、信号線１４から供給される映像信号を、対応する画素電極１７に書き込む。
対向電極基板１２は、その内表面に、対向電極１８及びカラーフィルター１９が形成されている。
【００４０】
カラーフィルター１９は、図示しないが、各画素に対応したセグメントに分割されている。例えば、３原色である赤色フィルター、緑色フィルター、青色フィルターの３つのセグメントに分割されている。
【００４１】
このカラー液晶表示装置１００では、このような構成の透過型のカラー液晶表示パネル１０を２枚の偏光板３１，３２で挟み、バックライトユニット４０により背面側から白色光を照射した状態で、アクティブマトリクス方式で駆動することによって、所望のフルカラー映像を表示させることができる。
【００４２】
バックライトユニット４０は、カラー液晶表示パネル１０を背面側から照明するものである。図４に示すように、バックライトユニット４０は、光源を備え、光源から出射された光を混色した白色光を光照射面２０ａから面発光するバックライト装置２０と、このバックライト装置２０の光出射面２０ａ上に積層された拡散板４１とから構成されている。
拡散板４１は、光出射面２０ａから出射された白色光を拡散させることにより、面発光における輝度の均一化を行うものである。
【００４３】
そして、バックライト装置２０は、図３Ａ及び図３Ｂに示したように、３色Ｒ，Ｇ，Ｂの発光ダイオードから成る発光ダイオードユニット１が、マトリックス配置されて構成される。
これにより、各発光ダイオードユニット１において、均一な色度が得られるので、カラー液晶表示パネル１０に表示される画像の輝度や色度の分布を良好な分布とすることができる。
従って、表示すべき画像を、良好な画質で表示することができる。
【００４４】
次に、図１及び図２に示した発光ダイオードユニット（光混合器）１を変形した形態を、図５Ａ及び図５Ｂに示す。図５Ａ及び図５Ｂは、発光ダイオードユニット（光混合器）の断面図を示している。
図５Ａ及び図５Ｂに示す発光ダイオードユニット（光混合器）７は、発光ダイオードＲ，Ｇ，Ｂを覆う反射材２の底面側の開口を埋めるように、発光ダイオードＲ，Ｇ，Ｂの間及び外側の隙間に、反射材６を設けた構成である。
このように構成することにより、底面側に設けた反射材６によって、隙間に入りこんだ光の損失をなくして、底面側における反射の効率を上げることができるため、発光ダイオードＲ，Ｇ，Ｂから出射した光の利用効率を向上することができる。
【００４５】
続いて、発光ダイオードユニット（光混合器）の他の形態を、図６〜図８にそれぞれ示す。図６Ａ・図７Ａ・図８Ａは、それぞれ発光ダイオードユニット（光混合器）の斜視図を示しており、図６Ｂ・図７Ｂ・図８Ｂは、それぞれ発光ダイオードユニット（光混合器）の平面図を示している。
【００４６】
図６Ａ及び図６Ｂに示す形態では、底面及び上面の開口が長方形であり、上面の開口が底面側の開口よりも面積が小さくなるように反射材２を配置し、上面の開口を塞ぐように拡散材３を設けて、発光ダイオードユニット（光混合器）２１を構成している。
この場合は、反射材２の４つの面のうち、発光ダイオードユニット２１の長手方向に沿った２つの面が底面に垂直になっていて、反射材２の底面側の開口と上面の開口とがほぼ等しい幅となっている点で、図１及び図２に示した発光ダイオードユニット１とは異なっている。
【００４７】
図７Ａ及び図７Ｂに示す形態では、底面及び上面の開口が楕円形であり、上面の開口が底面側の開口よりも小さくなるように反射材２を配置し、上面の開口を塞ぐように拡散材３を設けて、発光ダイオードユニット（光混合器）２２を構成している。
この場合は、反射材２が曲面を形成している。
【００４８】
図８Ａ及び図８Ｂに示す形態では、底面及び上面の開口が正三角形であり、上面の開口が底面側の開口よりも小さくなるように反射材２を配置し、上面の開口を塞ぐように拡散材３を設けて、三角錐台形状の発光ダイオードユニット（光混合器）２３を構成している。
この構成は、例えば、各発光ダイオードＲ，Ｇ，Ｂを、図１及び図２に示したインライン状ではなく、デルタ状に配置した場合に好適である。
【００４９】
これら図６〜図８に示した各形態の発光ダイオードユニット（光混合器）２１，２２，２３を用いて、光源装置を構成した場合も、各ユニット２１，２２，２３の色度を均一にして、色再現性の良好な光源装置を実現することができると共に、光源装置を薄型化・小型化することが可能になる。また、部品点数や部品コストを低減することが可能になる。
【００５０】
上述の各形態では、３色の発光色の発光ダイオードＲ，Ｇ，Ｂにより発光ダイオードユニット（光混合器）を構成したが、本発明において、光源を構成する色数は３色に限らず、少なくとも２色以上でも構成可能である。
ただし、カラー液晶表示装置のバックライト装置に用いる場合には、少なくともＲ，Ｇ，Ｂ３色以上を備えている必要がある。
【００５１】
また、本発明においては、例えば、赤Ｒ、緑Ｇ、青Ｂ以外の発光色の発光ダイオードを使用することも可能である。他の発光色の発光ダイオードとＲ，Ｇ，Ｂの３色の発光ダイオードとを組み合わせてもよい。
【００５２】
さらに、各発光色の発光ダイオードのチップの数や、チップ面積の大小は、各発光色の発光ダイオードの発光特性や、必要となる照明輝度及び色度に応じて、様々に変形することが可能である。
また、拡散材は、反射材の開口の部分に限らず、発光ダイオードの上方のその他の部分に設けてもよい。例えば、反射材の開口と発光ダイオードとの中間に設けることが可能である。
【００５３】
また、本発明は、直下型のバックライト装置や照明装置として用いるために、発光ダイオードユニットをマトリックス配列して光源装置を構成する場合に限定されるものではなく、各発光色の発光ダイオードが配置された発光ダイオードユニットから成るＬＥＤパッケージ単体で、光源装置を構成してもよい。
【００５４】
上述の各実施の形態では、発光素子として、発光ダイオード（ＬＥＤ）を用いたが、本発明では、その他の発光素子を用いて光源装置を構成してもよい。例えば、半導体レーザ等を発光素子として用いることも可能である。
そして、複数の発光色の発光素子を用いて、上述の各実施の形態の発光ダイオードユニットに相当する、発光素子群を構成すればよい。
【００５５】
また、本発明の表示装置としては、図４に示したようなカラー液晶表示装置に限定されるものではなく、画像（文字のみの画像も含む）を表示する表示部とバックライトとを備えた構成であれば、表示部が液晶表示パネル以外の構成であってもよい。
液晶表示装置のようにバックライト光源からの光を透過させる構成の他に、表示部が自発的に発光する構成であっても、例えば、輝度を上げるための補助光源としてバックライト光源を使用する場合には、本発明を適用することが可能である。
【００５６】
本発明は、上述の実施の形態に限定されるものではなく、本発明の要旨を逸脱しない範囲でその他様々な構成が取り得る。
【図面の簡単な説明】
【００５７】
【図１】本発明の光源装置の実施の形態の要部の斜視図である。
【図２】Ａ、Ｂ  図１に示す発光ダイオードユニットの断面図である。
【図３】Ａ  図１に示す発光ダイオードユニットをマトリックス状に配置した光源装置の斜視図である。  Ｂ  図３Ａの光源装置の平面図である。
【図４】光源装置をバックライト光源として備えたカラー液晶表示装置の一形態の概略構成図（分解斜視図）である。
【図５】Ａ、Ｂ  図１及び図２に示した発光ダイオードユニットを変形した形態の断面図である。
【図６】Ａ、Ｂ  発光ダイオードユニットの他の形態の概略構成図である。
【図７】Ａ、Ｂ  底面側の開口及び上面の開口を楕円形状とした発光ダイオードユニットの形態の概略構成図である。
【図８】Ａ、Ｂ  三角錐台形状とした発光ダイオードユニットの形態の概略構成図である。
【符号の説明】
【００５８】
１，７，２１，２２，２３  発光ダイオードユニット（光混合器）、２，６  反射材、３  拡散材、４  基板、５  光源装置、１０  カラー液晶表示パネル、１９  カラーフィルター、２０  バックライト装置、Ｒ  赤色発光ダイオード、Ｇ  緑色発光ダイオード、Ｂ  青色発光ダイオード
【図１】
2007073639.tif 000003
【図２】
2007073639.tif 000004
【図３】
2007073639.tif 000005
【図４】
2007073639.tif 000006
【図５】
2007073639.tif 000007
【図６】
2007073639.tif 000008
【図７】
2007073639.tif 000009
【図８】
2007073639.tif 000010